(57)【特許請求の範囲】
【請求項１】
蒸発器の下方位置に、蒸発器で発生したドレン水を受けるドレンパンを配設した空調機のドレン排水装置において、前記ドレンパンのドレン排水口に仕切り板を配設し、前記ドレン排水口の一方の空間が下方に向かって縮小し、他方の空間が下方に向かって拡大するように構成したことを特徴とする空調機のドレン排水装置。
【請求項２】
仕切り板を、ドレン排水口の上端縁に係止される係片と、該係片に連接した傾斜面片と、該傾斜面片に連接され、前記係片をドレン排水口の上端縁に係止したとき略鉛直方向に垂下される下片とから構成したことを特徴とする請求項１記載の空調機のドレン排水装置。
【発明の詳細な説明】
【０００１】
【発明の属する技術分野】
本発明は、蒸発器の下方位置に、蒸発器で発生したドレン水を受けるドレンパンを配設した空調機のドレン排水装置に関するものである。
【０００２】
【従来の技術】
従来、内部に蒸発器、凝縮器及び圧縮機からなる冷凍サイクル並びに送風機を備えるようにした空調機においては、蒸発器を通過する冷却用空気に含まれる水分が凝縮されることにより発生するドレン水を、蒸発器の下方に配設したドレンパンにより受け止め、このドレンパンに溜まったドレン水を、ドレン排水口に接続したドレン配管を介して空調機外へ排水するようにしている。
【０００３】
ところで、従来の空調機においては、空調機の内部が負圧になったときでも、滞りなくドレン水を排出することができるように、ドレン排水口の下方にトラップを設けるようにしていた。
【０００４】
【発明が解決しようとする課題】
ところで、トラップを設けるようにすると、空調機の機高が高くなるという問題があり、特に、ドレン配管を接続せず、ドレン排水口からドレンタンクへ直接ドレン水を導入させる構造の空調機においては、スペースの関係上トラップを設けることができなかった。
このため、エアフィルターやフィンの目詰まりによって空調機の内部の負圧の程度が大きくなると、ドレン排水口から吸い込まれる空気流によって、ドレン排水口から流下するドレン水の流れが阻害され、ドレン水の水位が上昇して、ドレン水がドレンパンから溢れ出るという問題があった。
【０００５】
本発明は、上記従来の空気調和機のドレン排水装置の有する問題点に鑑み、空調機の内部の負圧の影響を受けることなく、ドレン水をドレンパンのドレン排水口から流下させることができるようにした空調機のドレン排水装置を提供することを目的とする。
【０００６】
【課題を解決するための手段】
上記目的を達成するため、本発明の空気調和機のドレン排水装置は、蒸発器の下方位置に、蒸発器で発生したドレン水を受けるドレンパンを配設した空調機のドレン排水装置において、前記ドレンパンのドレン排水口に仕切り板を配設し、前記ドレン排水口の一方の空間が下方に向かって縮小し、他方の空間が下方に向かって拡大するように構成したことを特徴とする。
【０００７】
この空調機のドレン排水装置は、ドレンパンのドレン排水口に仕切り板を配設し、前記ドレン排水口の一方の空間が下方に向かって縮小し、他方の空間が下方に向かって拡大するように構成されているので、例えば、エアフィルターやフィンの目詰まりによって空調機の内部の負圧の程度が大きくなっても、下方に向かって縮小する方の空間においては、ドレン排水口の下端の断面積が小さいため、吸い込まれる空気量が少なく、このため、下方に向かって縮小する空間を上向きに流れる空気流の流速が小さくなり、ドレン排水口から流下するドレン水の流れが阻害されず、ドレン水の排水を円滑に行うことができる。
【０００８】
この場合において、仕切り板を、ドレン排水口の上端縁に係止される係片と、該係片に連接した傾斜面片と、該傾斜面片に連接され、前記係片をドレン排水口の上端縁に係止したとき略鉛直方向に垂下される下片とから構成することができる。
【０００９】
これにより、係片をドレン排水口の上端縁に係止することのみによって、仕切り板をドレン排水口に装着することができるため、仕切り板の着脱を容易に行うことができ、ごみ等が詰まりやすいドレン排水口の清掃を簡単に行うことができる。
また、略鉛直方向に垂下される下片が、一種の錘の作用をするため、仕切り板をドレン排水口に安定して装着することができる。
【００１０】
【発明の実施の形態】
以下、本発明の空気調和機のドレン排水装置の実施の形態を図面に基づいて説明する。
【００１１】
図１〜図４に、本発明の空気調和機のドレン排水装置を適用した空調機の一実施例を示す。
この空調機は、下部に、着脱自在にドレンタンク２及び圧縮機３を設置するとともに、ドレンタンク２の上方で、吸入される外気との接触を直接的に行える位置に、蒸発器４及び凝縮器５を上下に配列、配置し、さらに、蒸発器用送風機１０及び凝縮器用送風機１１を備えるようにする。
【００１２】
凝縮器５の下方位置のドレンタンク２上に、ドレンパン６を配置し、凝縮器５のフィンを伝って蒸発できずに落下した蒸発器４で発生したドレン水を受け、ドレン排水口６１を経て下方のドレンタンク２へ導入するようにする。
【００１３】
蒸発器４及び凝縮器５は、本体フレーム１にそれぞれ独立して取り付けるとともに、蒸発器用送風機１０及び凝縮器用送風機１１により、蒸発器４及び凝縮器５を通して空気（外気）を本体フレーム１内に吸引するように構成する。
【００１４】
蒸発器用送風機１０及び凝縮器用送風機１１は、それぞれ、ケーシング１０Ｋ、１１Ｋにて覆うようにする。
そして、蒸発器４にて熱交換され、冷却された空気は、蒸発器用送風機１０を配設したケーシング１０Ｋから吐出口８ａ及び送風ダクト（図示省路）を介して冷房に使用される。
一方、凝縮器５にて熱交換され、加温された空気は、凝縮器用送風機１１を配設したケーシング１１Ｋから吐出口８ｂ及び送風ダクト（図示省略）を介して外部へ排出される。
このように、蒸発器４により冷却された空気（冷風）と、凝縮器５により加温された空気（温風）とは分離され、個別に排出されるものとなる。
【００１５】
ドレンパン６は、凝縮器５のフィンを伝って落下してきたドレン水を受けるのに適した大きさ及び形状、例えば、図３に示すように、長方形の形状を有し、かつ、その周囲を囲むように周壁６２を一体とし、浅い盆の形状に形成するとともに、その底面６３の一部にドレン排水口６１を形成する。
【００１６】
この場合において、ドレン排水口６１には、ドレン排水口６１内の空間を、２つに仕切る仕切り板７を配設し、仕切られたドレン排水口６１の一方の空間６１Ａを下方に向かって縮小するように、他方の空間６１Ｂを下方に向かって拡大するように構成する。
なお、ドレン排水口６１内の空間を、３つ以上に仕切ることもでき、この場合も、下方に向かって縮小する空間と、下方に向かって拡大する空間を形成するようにする。
【００１７】
仕切り板７は、固定式のものを採用することもできるが、本実施例のように、ように、ドレン排水口６１の上端縁に係止される係片７１と、この係片７１に傾斜して連接した傾斜面片７２と、この傾斜面片７２に連接され、係片７１をドレン排水口６１の上端縁に係止したとき略鉛直方向に垂下される下片７３とから構成した、例えば、合成樹脂製の所要の厚みを有する部材で以て構成することが望ましい。
【００１８】
この場合、仕切り板７の係片７１は、ドレン排水口６１の上端縁に安定して係止できるようにドレン排水口６１の内径よりも長く形成し、一方、傾斜面片７２及び下片７３は、ドレン排水口６１に嵌挿できるようにドレン排水口６１の内径よりも若干細い幅に形成する。
そして、仕切り板７の下片７３が、ドレン排水口６１の下端縁から突出するように、仕切り板７の長さを定めるようにする。
【００１９】
これにより、仕切り板７の係片７１をドレン排水口６１の上端縁に係止することのみによって、仕切り板７をドレン排水口６１に装着することができることになるため、仕切り板７の着脱を容易に行うことができ、ごみ等が詰まりやすいドレン排水口６１の清掃を、仕切り板７をドレン排水口６１から取り外して簡単に行うことができるものとなる。
また、仕切り板７の係片７１をドレン排水口６１の上端縁に係止すると、略鉛直方向に垂下される下片７３が、一種の錘の作用をするため、仕切り板７がドレン排水口６１の中で揺動せず、仕切り板７をドレン排水口６１に安定して装着することができるものとなる。
【００２０】
次に、この空調機の動作について説明する。
この空調機を、工場あるいは作業所に設置して運転を開始すると、蒸発器４及び凝縮器５を通して空気（外気）が本体フレーム１内に吸引される。
吸引された空気は、蒸発器４にて熱交換され、蒸発器用送風機１０を配設したケーシング１０Ｋから吐出口８ａ及び送風ダクト（図示省略）を介して冷房に使用される。
一方、凝縮器５にて熱交換され、加温された空気は、凝縮器用送風機１１を配設したケーシング１１Ｋから吐出口８ｂ及び送風ダクト（図示省略）を介して外部へ排出される。
【００２１】
このとき、エアフィルター１２、凝縮器５及び蒸発器４の通風抵抗によって、また、吸込空気中に塵埃が多い環境にあっては、エアフィルター１２やフィンの目詰まりによって、通風抵抗が増大して、空調機の内部の負圧の程度が大きくなると、ドレン排水口６１を介して、空調機の内部に空気が吸い込まれるようになる。
【００２２】
ところで、この空調機においては、ドレンパン６のドレン排水口６１に仕切り板７を配設し、ドレン排水口６１の一方の空間６１Ａが下方に向かって縮小し、他方の空間６１Ｂが下方に向かって拡大するように構成されているので、空調機の内部の負圧の程度が大きくなっても、下方に向かって縮小する方の空間６１Ａにおいては、ドレン排水口６１の下端の断面積が小さいため、吸い込まれる空気量が少なく、このため、下方に向かって縮小する空間６１Ａを上向きに流れる空気流の流速が小さくなり、この空間６１Ａにおいては、ドレン排水口６１の上端の開口から流下するドレン水の流れが阻害されず、ドレン水の排水を円滑に行うことができる。
【００２３】
また、下方に向かって拡大する方の空間６１Ｂにおいては、ドレン排水口６１の下端の断面積が大きいため、吸い込まれる空気量が多く、このため、下方に向かって拡大する空間６１Ａを上向きに流れる空気流の流速が大きくなる。
これにより、本実施例に示すように、仕切り板７の係片７１をドレン排水口６１の上端縁に係止することによって、仕切り板７をドレン排水口６１に装着した場合、仕切り板７が空気流の作用によって空間６１Ｂ側から空間６１Ａ側に押圧されることになり、仕切り板７のドレン排水口６１の装着状態を安定させることができる。
【００２４】
【発明の効果】
本発明の空気調和機のドレン排水装置によれば、ドレンパンのドレン排水口に仕切り板を配設し、前記ドレン排水口の一方の空間が下方に向かって縮小し、他方の空間が下方に向かって拡大するように構成されているので、例えば、エアフィルターやフィンの目詰まりによって空調機の内部の負圧の程度が大きくなっても、下方に向かって縮小する方の空間においては、ドレン排水口の下端の断面積が小さいため、吸い込まれる空気量が少なく、このため、下方に向かって縮小する空間を上向きに流れる空気流の流速が小さくなり、ドレン排水口から流下するドレン水の流れが阻害されず、ドレン水の排水を円滑に行うことができ、ドレン水の水位が上昇して、ドレン水がドレンパンから溢れ出ることを未然に防止することができる。
【００２５】
また、仕切り板を、ドレン排水口に上端縁に係止される係片と、係片に連接した傾斜面片と、傾斜面片に連接され、係片をドレン排水口の上端縁に係止したとき略鉛直方向に垂下される下片とから構成することにより、係片をドレン排水口の上端縁に係止することのみによって、仕切り板をドレン排水口に装着することができるため、仕切り板の着脱を容易に行うことができ、ごみ等が詰まりやすいドレン排水口の清掃を簡単に行うことができる。
また、略鉛直方向に垂下される下片が、一種の錘の作用をするため、仕切り板をドレン排水口に安定して装着することができる。
【図面の簡単な説明】
【図１】本発明の空調機のドレン排水装置を適用した空調機の一実施例を示す断面図である。
【図２】同背面図である。
【図３】ドレンパンを示し、（Ａ）は平面図、（Ｂ）は正面図、（Ｃ）は側面図である。
【図４】ドレンパンのドレン排水口を示し、（Ａ）は正面図、（Ｂ）は断面図である。
【図５】仕切り板の説明図である。
【符号の説明】
１    本体フレーム
１０  蒸発器用送風機
１０Ｋ  ケーシング
１１  凝縮器用送風機
１１Ｋ  ケーシング
１２  エアフィルター
２    ドレンタンク
３    圧縮機
４    蒸発器
５    凝縮器
６    ドレンパン
６Ａ，６Ｂ  空間
６１  ドレン排水口
７    仕切り板
７１  係片
７２  傾斜面片
７３  下片
８ａ  吐出口
８ｂ  吐出口
【図１】
0004431250.tif 000002
【図２】
0004431250.tif 000003
【図３】
0004431250.tif 000004
【図４】
0004431250.tif 000005
【図５】
0004431250.tif 000006